(57)【特許請求の範囲】
【請求項１】
画像処理開始動作を検知する画像処理開始検知フォトセンサを含む、発光素子を有するフォトセンサを複数備えており、
給電の遮断が可能であるメイン電力ラインへの給電が遮断された場合に、待機電力ラインにより給電を継続すべく構成してある画像処理装置において、
各フォトセンサの発光素子を駆動する発光素子駆動回路と、
前記メイン電力ラインへの給電が遮断されたか否かを判断する遮断判断回路と、
該遮断判断回路が前記メイン電力ラインへの給電が遮断されたと判断した場合に、前記画像処理開始検知フォトセンサの発光素子駆動回路をパルス駆動するパルス駆動回路と
を備え、
前記遮断判断回路が前記メイン電力ラインへの給電が遮断されたと判断した場合に、他のフォトセンサの発光素子駆動回路を駆動しないように構成するとともに、
前記パルス駆動回路の作動中に前記画像処理開始検知フォトセンサから画像処理開始の検出信号が出力された場合には、前記メイン電力ラインへの給電を開始させた後に、前記画像処理開始検知フォトセンサの発光素子駆動回路を常時駆動させ、前記画像処理開始検知フォトセンサの検出信号の出力を再度確認し、画像処理開始の検出信号が出力されない場合は、前記画像処理開始検知フォトセンサの発光素子駆動回路をパルス駆動し、前記メイン電力ラインへの給電を遮断するように構成してあることを特徴とする画像処理装置。
【請求項２】
前記パルス駆動回路の駆動信号に同期して前記画像処理開始検知フォトセンサの検出信号を取り込む信号取り込み回路と、
該信号取り込み回路が取り込んだ検出信号に基づいて、画像処理を開始するか否かを判断する開始判断回路と、
該開始判断回路が画像処理を開始すると判断した場合に、前記メイン電力ラインへの給電を指示する給電指示回路と
をさらに備える請求項１記載の画像処理装置。
【請求項３】
前記画像処理開始検知フォトセンサは、原稿を自動的に送って画像処理するための原稿自動送り装置への前記原稿の載置を検知するフォトセンサ、所定のシートを供給して画像処理するための手差し給紙装置への前記シートの載置を検知するフォトセンサ、及び開閉により原稿を原稿台に載置するための原稿カバーの開閉を検知するフォトセンサのいずれかである請求項１記載の画像処理装置。
【請求項４】
前記開始判断回路が画像処理を開始すると判断した場合に、原稿又はシートの大きさの検知を含む、原稿又はシートに関する検知を行うフォトセンサの発光素子駆動回路を常時駆動すべく構成してある請求項１記載の画像処理装置。
【請求項５】
フォトセンサは複数のグループに分けてあり、前記開始判断回路が画像処理を開始すると判断した場合に、所定のグループのフォトセンサの発光素子駆動回路を常時駆動すべく構成してある請求項１記載の画像処理装置。
【発明の詳細な説明】
【０００１】
【発明の属する技術分野】
本発明は、複写機等の画像処理装置に関し、詳しくは、省電力化を実現するための手段を備える画像処理装置に関する。
【０００２】
【従来の技術】
近年、複写機等の画像処理装置の省エネルギー化が要求されており、印刷終了又はユーザのキー操作終了から所定時間経過したときに、そのとき設定されていた画像処理条件を記憶手段に記憶して、通常モードから省電力モード（待機モード）に切り換わる画像処理装置が開発されている。
【０００３】
特開平１０−３３２３１８号公報には、停止時（待機モード時）には、内蔵するＸ方向及びＹ方向の２つのフォトセンサの発光ダイオード（ＬＥＤ）を所定の比率でＯＮ／ＯＦＦさせ、間欠動作（デューティ駆動）して、消費電力を低減するマウス及びトラックボール等の座標入力装置の発明が開示されている。
この座標入力装置においては、待機モード時で、２つのフォトセンサのうちの少なくとも１つのフォトセンサが復帰操作（動作）を検知したときに、２つのフォトセンサのＬＥＤが共にフル通電される通常モードに復帰する。
【０００４】
【発明が解決しようとする課題】
しかしながら、複写機等の画像処理装置においては、復帰操作を検知する必要があるフォトセンサは一部だけであり、特開平１０−３３２３１８号公報の発明を画像処理装置に適用して全てのフォトセンサのＬＥＤをデューティ駆動した場合、省電力化の効果が乏しいという問題があった。
また、一部のフォトセンサで復帰操作を検知した場合に、無条件に他の全てのフォトセンサのＬＥＤを常時通電（フル通電）しても、同様に省電力化の効果が乏しいという問題があった。
【０００５】
本発明は、斯かる事情に鑑みてなされたものであり、メイン電力ラインへの給電の遮断時、すなわち画像処理の待機時に、画像処理開始検知フォトセンサのＬＥＤ駆動回路をパルス駆動し、他のフォトセンサのＬＥＤ駆動回路の駆動を停止すべく構成することにより、良好に消費電力を削減することができる画像処理装置を提供することを目的とする。
【０００６】
また、本発明は、画像処理開始検知センサのＬＥＤ駆動回路をパルス駆動する信号に同期して画像処理開始検知フォトセンサの検出信号を取り込む回路、該回路が取り込んだ検出信号に基づいて、画像処理を開始するか否かを判断する回路、該回路が画像処理を開始すると判断した場合に、メイン電力ラインへの給電を指示する回路を備えることにより、フォトセンサのＬＥＤ駆動回路をパルス駆動する回路、信号取り込み回路、開始判断回路及び給電指示回路を、メインのＣＰＵから独立させ、メインのＣＰＵ及びその周辺回路はメイン電力ラインから給電するように構成することで、待機時に、消費電力が大きいメインのＣＰＵ及びその周辺回路の通電を停止することができ、さらに良好に消費電力を削減することができる画像処理装置を提供することを目的とする。
【０００７】
そして、本発明は、原稿自動送り装置への原稿の載置を検知するフォトセンサ、手差し給紙装置へのシートの載置を検知するフォトセンサ、及び原稿カバーの開閉を検知するフォトセンサを前記画像処理開始検知フォトセンサとすることにより、確実にメイン電力ラインへの給電を指示して画像処理を開始することができる画像処理装置を提供することを目的とする。
【０００８】
さらに、本発明は、開始判断回路が画像処理を開始すると判断した場合に、原稿又はシートの大きさの検知を含む、原稿又はシートに関する検知を行うフォトセンサの発光素子駆動回路を常時駆動すべく構成することにより、画像処理時に、検知のタイミングに精度を要するフォトセンサのＬＥＤ駆動回路は常時駆動し、他の検知のタイミングに精度を要しないフォトセンサのＬＥＤ駆動回路はパルス駆動することで、さらに良好に消費電力を削減することができる画像処理装置を提供することを目的とする。
【０００９】
また、本発明は、フォトセンサは複数のグループに分けてあり、開始判断回路が画像処理を開始すると判断した場合に、所定のグループのフォトセンサの発光素子駆動回路を常時駆動すべく構成することにより、画像処理開始動作を検知した後に必要とされるグループのフォトセンサのみを常時通電することができ、画像処理時の消費電力をさらに良好に削減することができる画像処理装置を提供することを目的とする。
【００１０】
【課題を解決するための手段】
本発明の画像処理装置は、画像処理開始動作を検知する画像処理開始検知フォトセンサを含む、発光素子を有するフォトセンサを複数備えており、給電の遮断が可能であるメイン電力ラインへの給電が遮断された場合に、待機電力ラインにより給電を継続すべく構成してある画像処理装置において、各フォトセンサの発光素子を駆動する発光素子駆動回路と、前記メイン電力ラインへの給電が遮断されたか否かを判断する遮断判断回路と、該遮断判断回路が前記メイン電力ラインへの給電が遮断されたと判断した場合に、前記画像処理開始検知フォトセンサの発光素子駆動回路をパルス駆動するパルス駆動回路とを備え、前記遮断判断回路が前記メイン電力ラインへの給電が遮断されたと判断した場合に、他のフォトセンサの発光素子駆動回路を駆動しないように構成するとともに、前記パルス駆動回路の作動中に前記画像処理開始検知フォトセンサから画像処理開始の検出信号が出力された場合には、前記メイン電力ラインへの給電を開始させた後に、前記画像処理開始検知フォトセンサの発光素子駆動回路を常時駆動させ、前記画像処理開始検知フォトセンサの検出信号の出力を再度確認し、画像処理開始の検出信号が出力されない場合は、前記画像処理開始検知フォトセンサの発光素子駆動回路をパルス駆動し、前記メイン電力ラインへの給電を遮断するように構成してあることを特徴とする。
【００１１】
本発明においては、原稿及びシートの載置、シートの搬送状態等を検知するフォトセンサを多数備える画像処理装置において、メイン電力ラインへの給電の遮断時に、原稿及びシートの載置及び原稿カバーの開閉等を検知するフォトセンサのみ、ＬＥＤ駆動回路をパルス駆動し、残りのフォトセンサのＬＥＤ駆動回路は駆動を停止するので、良好に消費電力を削減することができる。
【００１２】
本発明の画像処理装置は、前記パルス駆動回路の駆動信号に同期して前記画像処理開始検知フォトセンサの検出信号を取り込む信号取り込み回路と、該信号取り込み回路が取り込んだ検出信号に基づいて、画像処理を開始するか否かを判断する開始判断回路と、該開始判断回路が画像処理を開始すると判断した場合に、前記メイン電力ラインへの給電を指示する給電指示回路とをさらに備えることを特徴とする。
【００１３】
本発明においては、前記発光素子駆動回路、パルス駆動回路、信号取り込み回路、開始判断回路及び給電指示回路を、メインのＣＰＵから独立させ、メインのＣＰＵ及びその周辺回路はメイン電力ラインから給電するように構成することで、画像処理の待機時には、消費電力が大きいメインのＣＰＵ及びその周辺回路の通電を停止することができ、さらに良好に消費電力を削減することができる。
【００１４】
本発明の画像処理装置は、前記画像処理開始検知フォトセンサは、原稿を自動的に送って画像処理するための原稿自動送り装置への前記原稿の載置を検知するフォトセンサ、所定のシートを供給して画像処理するための手差し給紙装置への前記シートの載置を検知するフォトセンサ、及び開閉により原稿を原稿台に載置するための原稿カバーの開閉を検知するフォトセンサのいずれかであることを特徴とする。
【００１５】
本発明においては、ユーザーによる原稿及びシートの載置、原稿カバーの開閉を検知することにより、確実にメイン電力ラインへの給電を指示して画像処理を開始することができる。そして、この検知は高い精度を要求されないので、前記画像処理開始検知センサのＬＥＤ駆動回路をパルス駆動することで十分確実に検知可能である。
【００１６】
本発明の画像処理装置は、前記開始判断回路が画像処理を開始すると判断した場合に、原稿又はシートの大きさの検知を含む、原稿又はシートに関する検知を行うフォトセンサの発光素子駆動回路を常時駆動すべく構成してあることを特徴とする。
【００１７】
本発明においては、画像処理時に、検知のタイミングに精度を要するフォトセンサのＬＥＤ駆動回路は常時駆動し、他の検知のタイミングに精度を要しないフォトセンサのＬＥＤ駆動回路はパルス駆動することで、さらに良好に消費電力を削減することができる。
【００１８】
本発明の画像処理装置は、フォトセンサは複数のグループに分けてあり、前記開始判断回路が画像処理を開始すると判断した場合に、所定のグループのフォトセンサの発光素子駆動回路を常時駆動すべく構成してあることを特徴とする。
【００１９】
本発明においては、画像処理開始動作を検知した後に必要とされるグループのフォトセンサのみ、ＬＥＤ駆動回路を常時駆動することにより、画像処理時の消費電力をさらに良好に削減することができる。
【００２０】
【発明の実施の形態】
以下、本発明をその実施の形態を示す図面に基づき具体的に説明する。
図１は、本実施の形態に係る画像処理装置を示すブロック図である。
この画像処理装置は、メイン電源１、待機用サブ電源２、制御部４、電源復帰部６、第１センサ部群２３、第２センサ部群２４及び主要構成部群２５の各ユニットを備えている。
メイン電源１は、制御部４を含む全ての負荷（ユニット）に、メイン電力ライン１５を介して電気的に接続されており、各負荷に給電する。待機用サブ電源２は、画像処理の待機時に処理が必要である電源復帰部６を含むユニットに、サブ電力ライン１６を介して電気的に接続されており、前記ユニットに給電する。
【００２１】
制御部４はメインＣＰＵ３を備えており、メインＣＰＵ３は本画像処理装置の全てのユニットの動作を制御する。電源復帰部６はサブＣＰＵ５を備えており、サブＣＰＵ５は、待機モードから通常モードへの移行処理を行なう。サブＣＰＵ５は単純な機能でよいので、ゲートアレイ等を用いてもよい。
メイン電源１は、電源復帰部６からメイン電源ＯＮ／ＯＦＦ信号１７を受信することにより、通常モード時には給電し、待機モード時には給電を停止するように構成されている。ここで、メイン電源ＯＮ／ＯＦＦ信号１７とは、後述する第１センサ部群２３及び主要構成部群２５から出力された復帰信号１４及び２０を電源復帰部６が受信し、復帰信号１４及び２０の少なくとも１つのフラグに１が存在する場合にメイン電源１をＯＮにし、全てのフラグが０である場合にはメイン電源１をＯＦＦにする信号である。
【００２２】
第１センサ部群２３は、ＳＰＦ（原稿自動送り装置）原稿センサ部７、原稿カバー開閉センサ部８及び手差し給紙用紙センサ部９から構成されている。
ＳＰＦ原稿センサ部７は、ＳＰＦへ原稿を載置するという待機モードから通常モードへの移行操作を検知するフォトセンサ、及び原稿送り時に原稿サイズを検知するためのフォトセンサを有する。該フォトセンサにより検知された原稿サイズに基づき、図示しないカセットの用紙が選択され、ファクシミリの送信サイズが決定される。
【００２３】
原稿カバー開閉センサ部８は、図示しない原稿カバーを開くという復帰操作を検知するフォトセンサ、及び原稿カバーの開閉時に載置原稿のサイズを検知するフォトセンサを有する。該フォトセンサにより検知された原稿サイズに基づき、ＳＰＦ原稿センサ部７と同様にカセットの用紙が選択され、ファクシミリの送信サイズが決定される。
【００２４】
手差し給紙用紙センサ部９は、図示しない手差し給紙部へ用紙（シート）を載置するという復帰操作を検知するフォトセンサ、及び用紙サイズを検知するためのフォトセンサを有する。
【００２５】
第２センサ部群２４は、待機モードから通常モードへの移行操作を検知する必要がない前記第１センサ部群２３以外の、用紙の搬送状態を検知するセンサ等の用紙センサ群及び原稿センサ群を含む。
主要構成部群２５は、本画像処理装置の主要構成部であるファクシミリ１０、プリンタ１１及び操作パネル１２のグループである。
【００２６】
なお、待機モードから通常モードへの移行操作には、上述したＳＰＦへの原稿載置、手差し給紙部へ用紙載置及び原稿カバーの開閉以外に、操作パネル１２へのキー入力も含まれる。
【００２７】
本画像処理装置においては、第１センサ部群２３のＳＰＦ原稿センサ部７、原稿カバー開閉センサ部８及び手差し給紙用紙センサ部９の各フォトセンサは、待機モード時に復帰操作の検知をするために待機用サブ電源２から通電されるが、待機モード時に常時通電を行なうと消費電力が大きくなるので、待機モード時には、サブＣＰＵ５によりＬＥＤ（発光ダイオード）駆動信号２２を与えられてＬＥＤ駆動回路がパルス駆動（デューティ駆動）すべく構成されている。従って、各フォトセンサの消費電力は最小限に抑えられる。
【００２８】
待機モード時においては、メインＣＰＵ３は停止しており、復帰操作の検出を行なわない第２センサ部群２４のＬＥＤは、メイン電源１及び待機用サブ電源２のいずれからも通電されない。
従って、本画像処理装置においては、待機時に通電されるフォトセンサは第１センサ部群２３のＳＰＦ原稿センサ部７、原稿カバー開閉センサ部８及び手差し給紙用紙センサ部９の各フォトセンサのみであり、しかもこれらのフォトセンサのＬＥＤ駆動回路はパルス駆動されるので、省電力効果が高い。
なお、第１センサ部群２３の各フォトセンサのＬＥＤからの復帰信号１４がサブＣＰＵ５において確認されたときに待機モードから通常モードへ移行するが、この一連の動作は、人間の復帰操作を検知することにより行なわれるので、検知には高い精度は必要とされないので、前記フォトセンサのＬＥＤ駆動回路がパルス駆動されることで、十分検知可能である。
【００２９】
ＬＥＤ駆動信号２２は待機モード時だけでなく通常モード時においても使用される。すなわち、通常モード時には、ＬＥＤ駆動信号２２により第１センサ部群２３のＬＥＤ駆動回路は常時駆動される。
通常モード時には、第２センサ部群２４に含まれる用紙センサ群及び原稿センサ群のＬＥＤ駆動回路は、ＬＥＤ駆動信号１９により常時駆動され、それ以外の第２センサ部群２４のフォトセンサ、例えばインクが残り僅かになったか否かを検出するフォトセンサ等のＬＥＤ駆動回路は、ＬＥＤ駆動信号１９によりパルス駆動される。
従って、本画像処理装置においては、通常モード時のフォトセンサの消費電力を最小限に抑えることができる。
【００３０】
各フォトセンサからの検出信号１８及び２１は、メインＣＰＵ３に入力され、通常モード時の前記フォトセンサの信号をトリガとした処理がメインＣＰＵ３により行われる。ＳＰＦ原稿センサ部７、原稿カバー開閉センサ部８及び手差し給紙用紙センサ部９における通常モード時の検知は、原稿サイズ及び用紙サイズの検知であるので、検知には高い精度が要求される。従って、通常モード時においては、原稿サイズ及び用紙サイズの検知のためのフォトセンサのＬＥＤ駆動回路はＬＥＤ駆動信号２２により常時駆動される。
【００３１】
主要構成部２５のファクシミリ１０は、外部とのＦＡＸ送受信を行なう。プリンタ１１は、原稿から読み取られたデータ及びファクシミリ１０で受信したデータの印刷を行なう。操作パネル１２は、印刷部数を指定したり、任意の用紙サイズを選択したりする等の操作をするためのパネルであり、通常モード及び待機モードの両モード時において操作することができる。
また、主要構成部２５は、待機モード時には待機用サブ電源２から通電されており、通常モード時にはメイン電源１から通電されている。操作パネル１２の操作により待機モードから復帰させる場合、まず、復帰信号２０が電源復帰部６へ出力され、電源復帰部６が復帰信号２０を受けてメイン電源ＯＮ／ＯＦＦ信号１７を出力し、メイン電源１をＯＮにする。
【００３２】
ここで、上述した各センサの通常モード及び待機モード時におけるフォトセンサのＬＥＤの通電状態及び待機モードからの復帰条件をまとめたものを次の表１に示す。
【００３３】
【表１】
0003830397.tif 000002
【００３４】
表１によると、通常モード時には全てのフォトセンサのＬＥＤは常時（連続）通電されている。
待機モード時には、その他の用紙センサ群及び原稿センサ群はＬＥＤの通電が停止されており、ＳＰＦ原稿センサ部、原稿カバー開閉センサ部及び手差し給紙用紙センサ部のＬＥＤは、復帰操作の検出を行なう必要があるので通電されているが、上述したように通電は常時通電ではなくパルス（間欠）通電であり、消費電力の低減が図られている。
ＳＰＦ原稿センサ部７、原稿カバー開閉センサ部８及び手差し給紙用紙センサ部９における待機モードから通常モードへの復帰条件は、夫々原稿が図示しないＳＰＦの原稿台に載置された場合、原稿カバーが開かれた場合及び用紙が手差し給紙ユニットに載置された場合である。その他の用紙センサ群及び原稿センサ群における待機モードから通常モードへの復帰条件は、夫々ウォームアップの終了時及び原稿の読み取り操作を検知した時である。
【００３５】
そして、本画像処理装置においては、復帰機能に対応させてＳＰＦ原稿センサ部７、原稿カバー開閉センサ部８及び手差し給紙部９とグループ化しているので、通常モードに復帰させる場合、必要なグループのみを選択して復帰させることができ、全ての構成部分を一度に復帰させる場合と比較して消費電力の低減効果が高い。
【００３６】
図２は、フォトセンサの回路図である。
フォトセンサは、フォトトランジスタ３０、ＬＥＤ３１、駆動トランジスタ３２、Ｉ−Ｖ（電流−電圧）変換抵抗３３及び電流制限抵抗３４を備える。
Ｉ−Ｖ変換抵抗３３及び電流制限抵抗３４の一端部と、メイン電源１又はサブ電源２とは、電源ライン３５により電気的に接続されている。ＬＥＤ３１は、駆動トランジスタ３２と電流制限抵抗３４とに接続されている。駆動トランジスタ３２には駆動信号送信ライン３７が接続されており、駆動信号送信ライン３７を介してＬＥＤ駆動信号２２を受信することにより、ＬＥＤ３１の駆動トランジスタ３２はパルス駆動又は常時駆動され、ＬＥＤ３１は、パルス（間欠）通電又は常時（連続）通電される。電流制限抵抗３４は、ＬＥＤ３１に流れ込む電流を制限するための抵抗である。
【００３７】
フォトトランジスタ３０にはＩ−Ｖ変換抵抗３３が接続されている。フォトトランジスタ３０は、ＬＥＤ３１が発光した光３６を受光することにより電流を発生させ、発生した電流がＩ−Ｖ変換抵抗３３により電圧に変換されて、センサ検出信号送信ライン３８を通して、メインＣＰＵ３又はサブＣＰＵ５へセンサ検出信号が送られる。
【００３８】
図３は、電源復帰部６からのＬＥＤ駆動信号２２とこれに同期したＣＰＵ（メインＣＰＵ３又はサブＣＰＵ５）におけるセンサ検出信号を示すタイミングチャートである。
センサ検出信号の参照符４１の波は、ＬＥＤ駆動信号の参照符４０の波の立ち上がり開始時からｔ1 時間遅れて立ち上がっているが、これは、ＬＥＤ駆動信号２２が立ち上がるまでにｔ1 時間を要するので、この立ち上がりの遅れの期間ｔ1 に、ＣＰＵ（メインＣＰＵ３又はサブＣＰＵ５）がセンサ検出信号を読み込まないようにするためである。
【００３９】
図４は、メイン電源１の制御を示すフローチャートである。
まず、電源復帰部６からのメイン電源ＯＮ／ＯＦＦ信号１７中の電源フラグに変化があったか否かを判断する（ステップＳ４０１）。
電源フラグに変化がなかった場合、ステップＳ４０１に戻る。
電源フラグに変化があった場合、ステップＳ４０２に進む。
【００４０】
ステップＳ４０２において、電源フラグの少なくとも１つが１であるか否かを判断する。
電源フラグの少なくとも１つが１である場合、ステップＳ４０３に進む。
ステップＳ４０３において、メイン電源１をＯＮにする。
【００４１】
ステップＳ４０２において、電源フラグの全てが０である場合、ステップＳ４０４に進む。
ステップＳ４０４において、メイン電源１をＯＦＦにする。
ステップＳ４０３及びステップＳ４０４に進んだ後、処理をステップＳ４０１に戻す。
【００４２】
図５は、本画像処理装置のウォームアップ制御を示すフローチャートである。
まず、ウォームアップフラグの少なくとも１つが１であるか否かを判断する（ステップＳ５０１）。
ウォームアップフラグの少なくとも１つが１である場合、ステップＳ５０２に進む。
ステップＳ５０２において、現在ウォームアップ中か否かを判断する。
現在ウォームアップ中である場合、ステップＳ５０４に進む。
現在ウォームアップ中でない場合、ステップＳ５０３に進む。
ステップＳ５０３においてウォームアップを開始する。
【００４３】
そして、ステップＳ５０４において、ウォームアップが完了したか否かを判断する。
ウォームアップが完了していない場合、ステップＳ５０１に戻る。
ウォームアップが完了した場合、ステップＳ５０５に進む。
ステップＳ５０５において、その他の用紙センサ群のＬＥＤの駆動トランジスタを常時駆動させ、ＬＥＤを常時通電する。
【００４４】
ステップＳ５０１において、ウォームアップフラグが全て０である場合、ステップＳ５０６に進む。
ステップＳ５０６において、ウォームアップを中止する。
そして、その他用紙センサ群のＬＥＤの通電を停止する（ステップＳ５０７）。
【００４５】
図６は、本発明の画像処理装置において手差し給紙をする場合のフローチャートである。
まず、手差し用紙があるのを確認する（ステップＳ６０１）。
次に、手差し給紙部の電源フラグをセットする（ステップＳ６０２）。
そして、手差し給紙用紙センサ部９のＬＥＤを常時通電する（ステップＳ６０３）。
さらに、手差し給紙部のウォームアップフラグをセットする（ステップＳ６０４）。
【００４６】
Ｓ６０５において、手差し用紙があるか否かを判断する。
手差し用紙がある場合、ステップＳ６０５に戻る。
手差し用紙がない場合、ステップＳ６０６に進む。
ステップＳ６０６において、手差し給紙部のウォームアップフラグをリセットする。
そして、手差し給紙用紙センサ部９のＬＥＤをパルス通電する（ステップＳ６０７）。
最後に、手差し給紙部の電源フラグをリセットする（ステップＳ６０８）。これによりメイン電源１が停止し、待機モードになる。
【００４７】
図７は、図６のステップＳ６０５において手差し用紙がない場合、直ちにメイン電源１が停止されないように考慮した場合の制御を示すフローチャートである。
図７のフローチャートのステップＳ７０７は図６のステップＳ６０５に相当し、手差し用紙を手差し給紙部に置いた後にタイマを設定し、そのタイマがカウントアップして目標値に到達するまではメイン電源１が停止しないようにしたものである。
【００４８】
このフローチャートにおいて、ステップＳ７０４までの処理は図６のフローチャートのステップＳ６０４と同様である。
ステップＳ７０５において、タイマのカウント時間の目標値をセットする。
次に、タイマをリセットする（ステップＳ７０６）。
ステップＳ７０７において、手差し用紙があるか否かを判断する。
手差し用紙が有る場合、ステップＳ７０６に戻り、タイマのリセット状態が続く。
ステップＳ７０７において手差し用紙がない場合、ステップＳ７０８に進む。
ステップＳ７０８において、タイマがカウントアップする。
【００４９】
そして、ステップＳ７０９において、タイマがカウントした時間がステップＳ７０５において設定したカウント時間の目標値以上であるか否かを判断する。
タイマがカウントした時間が目標値未満である場合、ステップＳ７０７に戻る。
タイマがカウントした時間が目標値以上である場合、ステップＳ７１０に進む。
ステップＳ７１０以降の処理は図６のフローチャートに示したステップＳ６０６以降の処理と同様である。
【００５０】
図８は、本画像処理装置のＳＰＦに原稿が載置された場合の制御を示すフローチャートである。
まず、ＳＰＦ原稿があるのを確認する（ステップＳ８０１）。次に、ＳＰＦの電源フラグをセットする（ステップＳ８０２）。
そして、ＳＰＦ原稿センサ部７のＬＥＤを常時通電する（ステップＳ８０３）。
さらに、ＳＰＦ原稿センサ部７以外の原稿センサ群のＬＥＤを常時通電する（ステップＳ８０４）。
【００５１】
ステップＳ８０５において、モードがコピーモードか否かを判断する。
モードがコピーモードである場合、ステップＳ８０６に進む。
ステップＳ８０６において、ＳＰＦのウォームアップフラグをセットする。
ステップＳ８０５においてモードがコピーモードでない場合、すなわちファクシミリ（ＦＡＸ）モードである場合、ステップＳ８０７に進む。
ステップＳ８０７において、ＳＰＦのウォームアップフラグをリセットする。
【００５２】
そして、ステップＳ８０８においてＳＰＦに原稿があるか否かを判断する。
ＳＰＦに原稿がある場合、ステップＳ８０５に戻る。
ＳＰＦに原稿がない場合、ステップＳ８０９に進む。
ステップＳ８０９において、原稿の読み取りが完了したか否かを判断する。読み取りが完了した場合、ステップＳ８１０に進む。
ステップＳ８１０において、ＳＰＦのウォームアップフラグをリセットする。
次に、ＳＰＦ原稿センサ部７のＬＥＤをパルス通電する（ステップＳ８１１）。
そして、ＳＰＦ原稿センサ部７以外の原稿センサ群への通電を停止する（ステップＳ８１２）。
最後に、ＳＰＦの電源フラグをリセットする（ステップＳ８１３）。
【００５３】
なお、ステップＳ８０８においてＳＰＦに原稿がある場合、又はステップＳ８０９において原稿の読み取りが完了していないと判断された場合には、再びステップＳ８０５に戻る。
【００５４】
図９は、本画像処理装置の原稿カバーが開いた場合のフローチャートである。まず、原稿カバーが開いているのを確認する（ステップＳ９０１）。
そして、ステップＳ９０２において原稿カバー部の電源フラグをセットする。
次に、原稿カバー開閉センサ部８のＬＥＤを常時通電する（ステップＳ９０３）。さらに、原稿カバー開閉センサ部８以外の原稿センサ群のＬＥＤを常時通電する（ステップＳ９０４）。
【００５５】
ステップＳ９０５において、モードがコピーモードか否かを判断する。
モードがコピーモードである場合、ステップＳ９０６に進む。
ステップＳ９０６において、原稿カバー部のウォームアップフラグをセットする。
ステップＳ９０５においてモードがコピーモードでない場合、すなわちファクシミリ（ＦＡＸ）モードである場合、ステップＳ９０７に進む。
ステップＳ９０７において、原稿カバー部のウォームアップフラグをリセットする。
【００５６】
そして、ステップＳ９０８において、原稿カバーが開いているか否かを判断する。
原稿カバー部が閉じている場合、ステップＳ９０９に進む。
ステップＳ９０９において原稿台に原稿があるか否かを判断する。
原稿台に原稿がない場合、ステップＳ９１０に進む。
【００５７】
ステップＳ９１０において、原稿カバー部のウォームアップフラグをリセットする。
次に、原稿カバー開閉センサ部８のＬＥＤをパルス通電する（ステップＳ９１１）。
そして、原稿カバー開閉センサ部８以外のセンサ群への通電を停止する（ステップＳ９１２）。最後に、原稿カバー部の電源フラグをリセットする（ステップＳ９１３）。
【００５８】
ステップＳ９０８において原稿カバーが開いていると判断された場合、又はステップＳ９０９において原稿台に原稿があると判断された場合には、再びステップＳ９０５に戻る。
なお、原稿カバーの開閉のタイミングは人間の動作によるため、時間的な精度を必要としない。よって、ステップＳ９０３における、原稿カバー開閉センサのＬＥＤの通電は、パルス通電であってもよい。
【００５９】
以上のように、本画像処理装置においては、メイン電力ライン１５への給電の遮断時に、画像処理開始動作を検知する第１センサ部群２３のフォトセンサのＬＥＤ駆動回路をパルス駆動し、他のフォトセンサのＬＥＤ駆動回路の駆動を停止すべく構成してあるので、良好に消費電力を削減することができる。
そして、待機モード時に、消費電力が大きいメインＣＰＵ３及びその周辺回路の通電を停止することができ、省電力効果が高い。
【００６０】
なお、本実施の形態においては、通常モード時に、検知のタイミングに精度を要するフォトセンサのＬＥＤは常時通電し、他の検知のタイミングに精度を要しないフォトセンサはパルス通電すべく構成した場合につき説明しているがこれに限定されるものではない。但し、検知のタイミングに精度を要するフォトセンサのＬＥＤのみを常時通電する方が省電力効果が高いので好ましい。
【００６１】
また、本実施の形態においては、画像処理開始動作を検知した場合に、所定のグループのフォトセンサのみ、ＬＥＤ駆動回路を常時駆動させる場合につき説明しているがこれに限定されるものではない。
但し、所定のグループのフォトセンサのみ、ＬＥＤ駆動回路を常時駆動させる方が省電力効果が高いので好ましい。
【００６２】
さらに、本実施の形態においては、第１センサ部群２３の各センサ部が、画像処理開始動作を検知するフォトセンサ、及び原稿又は用紙の大きさを検知するフォトセンサを含む場合につき説明しているがこれに限定されるものではなく、画像処理開始動作を検知するフォトセンサと、原稿又は用紙の大きさを検知するフォトセンサとは同一のフォトセンサであってもよい。
本画像処理装置は、種々の設計変更が可能である。
【００６３】
【発明の効果】
以上、詳述したように、本発明による場合は、メイン電力ラインへの給電の遮断時に、画像処理開始動作を検知するフォトセンサのＬＥＤ駆動回路をパルス駆動し、他のフォトセンサのＬＥＤ駆動回路の駆動を停止すべく構成してあるので、良好に消費電力を削減することができる。
【００６４】
また、本発明による場合は、画像処理開始検知センサのＬＥＤ駆動回路をパルス駆動する信号に同期して画像処理開始検知フォトセンサの検出信号を取り込む回路、該回路が取り込んだ検出信号に基づいて、画像処理を開始するか否かを判断する開始判断回路、該開始判断回路が画像処理を開始すると判断した場合に、メイン電力ラインへの給電を指示する回路を備えることにより、フォトセンサのＬＥＤ駆動回路をパルス駆動する回路、信号取り込み回路、開始判断回路及び給電指示回路を、メインのＣＰＵから独立させ、メインのＣＰＵ及びその周辺回路はメイン電力ラインから給電するように構成することで、待機時に、消費電力が大きいメインのＣＰＵ及びその周辺回路の通電を停止することができ、さらに良好に消費電力を削減することができる。
【００６５】
そして、本発明による場合は、原稿自動送り装置への原稿の載置を検知するフォトセンサ、手差し給紙装置へのシートの載置を検知するフォトセンサ、及び原稿カバーの開閉を検知するフォトセンサを前記画像処理開始検知フォトセンサとすることにより、確実にメイン電力ラインへの給電を指示して画像処理を開始することができる。画像処理開始動作の検知は高い精度を要求されないので、検知センサのＬＥＤ駆動回路をパルス駆動することで十分に検知可能である。
【００６６】
さらに、本発明による場合は、開始判断回路が画像処理を開始すると判断した場合に、原稿又はシートの大きさの検知を含む、原稿又はシートに関する検知を行うフォトセンサの発光素子駆動回路を常時駆動すべく構成することにより、画像処理時に、検知のタイミングに精度を要するフォトセンサのＬＥＤは常時通電し、他の検知のタイミングに精度を要しないフォトセンサのＬＥＤはパルス通電することで、さらに良好に消費電力を削減することができる。
【００６７】
また、本発明による場合は、フォトセンサは複数のグループに分けてあり、開始判断回路が画像処理を開始すると判断した場合に、所定のグループのフォトセンサの発光素子駆動回路を常時駆動すべく構成することにより、画像処理開始動作を検知した後に必要とされるグループのフォトセンサのみを常時通電することができ、画像処理時の消費電力をさらに良好に削減することができる。
【図面の簡単な説明】
【図１】本発明の実施の形態に係る画像処理装置を示すブロック図である。
【図２】本発明の実施の形態に係る画像処理装置のフォトセンサの回路図である。
【図３】電源復帰部からのＬＥＤ駆動信号とこれに同期したＣＰＵにおけるセンサ検出信号を示すタイミングチャートである。
【図４】メイン電源の制御を示すフローチャートである。
【図５】本発明の実施の形態に係る画像処理装置のウォームアップ制御を示すフローチャートである。
【図６】本発明の実施の形態に係る画像処理装置において手差し給紙をする場合の制御を示すフローチャートである。
【図７】本発明の実施の形態に係る画像処理装置において手差し給紙をする場合であって、手差し用紙がないときに直ちにメイン電源が停止されないようにした制御を示すフローチャートである。
【図８】本発明の実施の形態に係る画像処理装置のＳＰＦに原稿が載置された場合の制御を示すフローチャートである。
【図９】本発明の実施の形態に係る画像処理装置の原稿カバーが開いた場合の制御を示すフローチャートである。
【符号の説明】
１  メイン電源
２  待機用サブ電源
３  メインＣＰＵ
４  制御部
５  サブＣＰＵ
６  電源復帰部
７  ＳＰＦ原稿センサ部
８  原稿カバー開閉センサ部
９  手差し給紙用紙センサ部
１０  ファクシミリ
１１  プリンタ
１２  操作パネル
１４  電源復帰信号
１５  メイン電力ライン
１６  サブ電力ライン
１７  メイン電力ライン
１８  センサ検出信号
１９  ＬＥＤ駆動信号
２０  復帰信号
２１  センサ検出信号
２２  ＬＥＤ駆動信号
２３  第１センサ部群
２４  第２センサ部群
２５  主要構成部群
【図１】
0003830397.tif 000003
【図２】
0003830397.tif 000004
【図３】
0003830397.tif 000005
【図４】
0003830397.tif 000006
【図５】
0003830397.tif 000007
【図６】
0003830397.tif 000008
【図７】
0003830397.tif 000009
【図８】
0003830397.tif 000010
【図９】
0003830397.tif 000011